(57)【特許請求の範囲】
【請求項１】
床面に形成された開口部に取り付けられるとともに、温度に応じて自動で換気を行い得る自動換気装置であって、
複数の第一の換気孔を形成するとともに裏面において長手方向に沿うレール部を形成する天板と、
複数の第二の換気孔を形成するとともに上記レール部にスライド可能に嵌め込まれるスライド板と、
並列配置される２種のバネを具備するとともに上記スライド板を駆動し得るスライド板駆動体と、
を備え、
上記レール部は、上記天板の長手方向両縁部においてそれぞれ裏面に突出して形成される縁レール部と、これら縁レール部との間において上記天板の長手方向に沿って形成される中央レール部と、によって一対のスライド板収容部を形成し、
上記２種のバネは、上記第一の換気孔および第二の換気孔を通じて上記天板の表面からの見え掛かりが小さくなる位置に配置されるとともに互いに抗う方向に力を及ぼし合い、
この２種のバネのうち少なくとも一方は、温度に応じてバネ定数を変化させ得る形状記憶合金製からなるとともに、最大のバネ定数が他方のバネのバネ定数より大きく設定され、最小のバネ定数が他方のバネのバネ定数より小さく設定され、
スライド板駆動体は、
天板の裏面に接合されるとともにバネを支持する第一の支持部材と、
スライド板の裏面に接合されるとともにバネを支持する第二の支持部材と、
を有し、
２種のバネは、圧縮コイルバネと引張コイルバネとからなり、
第一の支持部材は、上記圧縮コイルバネが取り付けられるとともにこの圧縮コイルバネの軸心を安定させるガイド部を形成し、両端近傍に、上記引張コイルバネの一端を固定し得る第一のバネ引掛け部をそれぞれ形成し、
第二の支持部材は、上記圧縮コイルバネの端部と接触するバネ受け面を形成するとともに、両端近傍に、上記引張コイルバネの他端を固定し得る第二のバネ引掛け部をそれぞれ形成し、
上記バネ受け面に上記ガイド部が挿通し得るガイド部挿通孔を形成するとともに、このガイド部挿通孔まわりに上記圧縮コイルバネを軸方向で囲い得るバネ囲い部を形成した
ことを特徴とする自動換気装置。
【請求項２】
天板は、表面から裏面に貫くストッパ孔を形成し、
スライド板は、上方に突出するストッパ部を形成し、
上記スライド板の嵌め込み時において、上記ストッパ部は上記ストッパ孔にスライド可能に嵌め合う
ことを特徴とする請求項１に記載の自動換気装置。
【請求項３】
スライド板収容部の下方において、
縁レール部と中央レール部とによって、一対の防虫網収容部を形成した
ことを特徴とする請求項１または２に記載の自動換気装置。
【発明の詳細な説明】
【技術分野】
【０００１】
本発明は、温度に応じて自動で換気を行い得る自動換気装置に関するものである。
【背景技術】
【０００２】
形状記憶合金の特性をコイルバネに応用して、自動的に室内の換気を行うことができる換気装置がある。すなわち、このような形状記憶合金製のコイルバネは、一定温度よりも高い温度であればオーステナイト相の硬いバネ（バネ力が強い）となる。一定温度よりも低い温度であればマルテンサイト相の柔らかいバネ（バネ力が弱い）となる。そのため、この形状記憶合金製のコイルバネと、そうでない通常のコイルバネとを対称方向に力を及ぼすように組み合わせれば、コイルバネによる合力の方向を温度に応じて変化させることができ、温度に応じて自動的に部材を動かすことができる。このような技術を応用したものとして、たとえば特許文献１のようなものがある。
【先行技術文献】
【特許文献】
【０００３】
【特許文献１】特開２００２−１４７８３４号公報
【発明の概要】
【発明が解決しようとする課題】
【０００４】
特許文献１に記載された発明は、床面１００の開口部に取り付けられる床換気装置９９に関するものであり、図６は床換気装置９９の断面図を示す。この床換気装置９９は、複数の換気孔１０４ａが設けられるとともに裏面に仕切部１０２が設けられた換気基板１０１と、これと同様に複数の換気孔１０４ｂが設けられたスライド換気板１０３とを具備するものである。上記仕切部１０２には、形状記憶合金製のコイルバネ１０６と補助コイルバネ１０７とが直列に組み込まれた基礎体１０５が設けられている。この床換気装置９９では、上記基礎体１０５が上記直列にされたコイルバネの伸縮によって、上記スライド換気板１０３を仕切部１０２に沿ってスライドさせ得るように設計されている。このスライド換気板１０３がスライドすることで、上記複数の換気孔１０４ａ，１０４ｂとが重なり合ったときに換気孔１０４を形成し、この換気孔１０４から換気を行うものである。
【０００５】
上記床換気装置９９では、スライド換気板１０３をスライドさせるための基礎体１０５における形状記憶合金製のコイルバネ１０６と補助コイルバネ１０７とが、同種類のバネ、すなわち、２つの圧縮コイルバネによって上記スライド換気板１０３のスライドを調整している。
【０００６】
２つのバネが圧縮コイルバネのみによって構成される場合、これらのバネが互いに抗う方向に力を及ぼし合うように配置するには直列に配置する他はない。すなわち、２つの圧縮コイルバネによって上記スライド換気板１０３のスライドを調整するにはこれらの圧縮コイルバネを直列に配置する必要がある。
【０００７】
しかし、２つの圧縮コイルバネを直列に配置しつつ上記スライド換気板１０３をスライドさせ得るような構成にするには、図６に示すように基礎体１０５の構成が複雑となり、ひいては床換気装置９９の構成が複雑になるという問題がある。また、構成が複雑であるうえ、上述したように圧縮コイルバネは直列に配置せざるを得ないことから、この基礎体１０５はある程度大きなものとなってしまう。
【０００８】
そこで本発明は、温度変化に応じて自動で換気を行い得る自動換気装置において、装置の簡素化および小型化による省スペース化を図ることができる自動換気装置を提供することを目的とする。
【課題を解決するための手段】
【０００９】
この目的を達成するため、請求項１に係る発明は、
床面に形成された開口部に取り付けられるとともに、温度に応じて自動で換気を行い得る自動換気装置であって、
複数の第一の換気孔を形成するとともに裏面において長手方向に沿うレール部を形成する天板と、
複数の第二の換気孔を形成するとともに上記レール部にスライド可能に嵌め込まれるスライド板と、
並列配置される２種のバネを具備するとともに上記スライド板を駆動し得るスライド板駆動体と、
を備え、
上記レール部は、上記天板の長手方向両縁部においてそれぞれ裏面に突出して形成される縁レール部と、これら縁レール部との間において上記天板の長手方向に沿って形成される中央レール部と、によって一対のスライド板収容部を形成し、
上記２種のバネは、上記第一の換気孔および第二の換気孔を通じて上記天板の表面からの見え掛かりが小さくなる位置に配置されるとともに互いに抗う方向に力を及ぼし合い、
この２種のバネのうち少なくとも一方は、温度に応じてバネ定数を変化させ得る形状記憶合金製からなるとともに、最大のバネ定数が他方のバネのバネ定数より大きく設定され、最小のバネ定数が他方のバネのバネ定数より小さく設定され、
スライド板駆動体は、
天板の裏面に接合されるとともにバネを支持する第一の支持部材と、
スライド板の裏面に接合されるとともにバネを支持する第二の支持部材と、
を有し、
２種のバネは、圧縮コイルバネと引張コイルバネとからなり、
第一の支持部材は、上記圧縮コイルバネが取り付けられるとともにこの圧縮コイルバネの軸心を安定させるガイド部を形成し、両端近傍に、上記引張コイルバネの一端を固定し得る第一のバネ引掛け部をそれぞれ形成し、
第二の支持部材は、上記圧縮コイルバネの端部と接触するバネ受け面を形成するとともに、両端近傍に、上記引張コイルバネの他端を固定し得る第二のバネ引掛け部をそれぞれ形成し、
上記バネ受け面に上記ガイド部が挿通し得るガイド部挿通孔を形成するとともに、このガイド部挿通孔まわりに上記圧縮コイルバネを軸方向で囲い得るバネ囲い部を形成した
ことを特徴としている。
【００１１】
請求項２に係る発明は、請求項１に記載の自動換気装置であって、
天板は、表面から裏面に貫くストッパ孔を形成し、
スライド板は、上方に突出するストッパ部を形成し、
上記スライド板の嵌め込み時において、上記ストッパ部は上記ストッパ孔にスライド可能に嵌め合う
ことを特徴としている。
【００１２】
請求項３に係る発明は、請求項１または２に記載の自動換気装置であって、
スライド板収容部の下方において、
縁レール部と中央レール部とによって、一対の防虫網収容部を形成した
ことを特徴としている。
【発明の効果】
【００１３】
本発明に係る自動換気装置によれば、温度変化に応じて自動で換気を行い得る自動換気装置において、装置の簡素化および小型化による省スペース化を図ることができる。
【図面の簡単な説明】
【００１４】
【図１】本発明の実施形態に係る自動換気装置の概略図である。
【図２】（ａ）は、同自動換気装置の裏面を示す図である。（ｂ）は、（ａ）におけるＡ−Ａ´断面図である。
【図３】同自動換気装置に係るスライド板駆動体の分解正面図である。
【図４】同自動換気装置に係るスライド板の駆動を説明する図である。
【図５】本発明の他の実施形態に係る自動換気装置の概略図である。
【図６】従来の床換気装置の縦断面図である。
【発明を実施するための形態】
【００１５】
本発明の実施の形態について図面に基づいて説明する。
図１は、本発明の実施の形態に係る自動換気装置（以下、単に自動換気装置１という）の一部を切欠くとともに、その概略を示すものである。自動換気装置１は、床面Ｆに形成された開口部Ｏに取り付けられる。自動換気装置１は、床面と面一に配置される天板２と、この天板２の裏面にスライド可能に嵌め込まれるスライド板３と、このスライド板３を駆動するスライド板駆動体４とからなる。
図２は、（ａ）が自動換気装置１の裏面を示すものであり、（ｂ）が（ａ）におけるＡ−Ａ´断面を示すものである。
【００１６】
天板２は、長方形の板であり、たとえばアルミニウムまたはアルミニウム合金（一例である）などを材質として用いる。図２（ｂ）に示すように、天板２は、その長手方向の両縁部において、裏面で突出する突出縁部１０を形成している。これら突出縁部１０のそれぞれにおいて、天板２の幅方向中央側の側面には、３段の溝が天板２の長手方向に沿って形成されている。これらの溝は、それぞれ天板２の表面から、第一の縁レール部１１ａ、第二の縁レール部１１ｂおよび第三の縁レール部１１ｃ（以下、これらを総称して縁レール部１１という）である。
【００１７】
これら縁レール部１１の間には、上記天板２の長手方向に沿って天板２の裏面で突出する中央突出部２０が形成されている。この中央突出部２０において、上記突出縁部１０側にあたる両側面には、３段の溝が天板２の長手方向に沿って形成されている。これらの溝は、それぞれ天板２の表面から、第一の中央レール部２１ａ、第二の中央レール部２１ｂおよび第三の中央レール部２１ｃ（以下、これらを総称して中央レール部２１という）である。
【００１８】
上記第一の中央レール部２１ａと第一の縁レール部１１ａとによって、第一の中央レール部２１ａを境に、一対のスライド板収容部３０を形成している。上述したスライド板３は、このスライド板収容部３０にスライド可能に嵌め込まれる。
【００１９】
また、天板２の表面には、裏面に貫通する複数の第一の換気孔５ａが形成されている。本実施の形態においては、この複数の第一の換気孔５ａは、天板２の幅方向に細長の楕円状とされており、これら第一の換気孔５ａは天板２の長手方向に等間隔に配列される。
【００２０】
また、天板２の中央近傍には、天板２の長手方向と同様の向きを長手方向とする長方形の貫通孔であるストッパ孔４０が形成されている。このストッパ孔４０には、後述するストッパ部５０が長手方向にスライド可能に嵌め合わされる。ストッパ孔４０と複数の第一の換気孔５ａとは、天板２において、上記中央レール部２１と線対称に配置される。
【００２１】
次に、スライド板３について説明する。上述したように、スライド板３は、天板２におけるスライド板収容部３０にスライド可能に嵌め込まれるものである。
【００２２】
スライド板３は、長方形の板であり、たとえば合成樹脂を材質として用いる。一枚の天板２に対して二枚のスライド板３が、上記中央突出部２０を境にして取り付けられる。このスライド板３は二枚に限らず、一枚のみ取り付けるものであってもよい。なお、説明の便宜上、図２には、二枚のうち一枚のスライド板３のみを示している。
【００２３】
スライド板３の表面には、裏面に貫通する複数の第二の換気孔５ｂが形成されている。本実施の形態においては、この複数の第二の換気孔５ｂは、スライド板３の幅方向に細長の楕円状とされており、これら第二の換気孔５ｂはスライド板３の長手方向に等間隔に配列される。
【００２４】
また、スライド板３の表面中央には、上方に突出するストッパ部５０が形成されている。図２（ａ）示すように、上記ストッパ部５０は、スライド板３の裏面においてプッシュナット等により取り付けられる。このストッパ部５０は、スライド板３が天板２に嵌め込まれた際に、天板２における上記ストッパ孔４０に嵌め合わされる。図２（ｂ）に示すように、ストッパ部５０の幅は、ストッパ孔４０の幅と略同様の大きさに形成される。一方、ストッパ部５０の長さは、ストッパ孔４０の長さよりも小さく形成される。すなわち、ストッパ部５０とストッパ孔４０との嵌め合い時において、ストッパ孔４０の長手方向には、上記ストッパ部５０の長さとの差分、一定の隙間が形成される。嵌め合わされたストッパ部５０は、この一定の隙間によって、上述したストッパ孔４０の長手方向へのスライドを可能としている。
【００２５】
次に、スライド板駆動体４について説明する。
図２および図３に示すように、スライド板駆動体４は、圧縮コイルバネ６０と、引張コイルバネ７０と、これらバネを支持する第一の支持部材８０と第二の支持部材９０とから構成されている。
【００２６】
図２（ａ）に示すように、第一の支持部材８０は、天板２の裏面において、第一の中央レール部２１ａおよび第一の縁レール部１１ａと、第二の中央レール部２１ｂおよび第二の縁レール部１１ｂとに嵌め込まれて天板２と連結している。第二の支持部材９０は、リベット９２ａによってスライド板３の裏面と連結している。すなわち、第一の支持部材８０は天板２と、第二の支持部材９０はスライド板３と、それぞれ別々に連結されている。
【００２７】
図３は、スライド板駆動体４の分解図である。上記圧縮コイルバネ６０および引張コイルバネ７０は並列にされつつ、第一の支持部材８０と第二の支持部材９０との間に配置され、圧縮コイルバネ６０はその中央に、引張コイルバネ７０はその端部に取り付けられる。以下、図３において、第一の支持部材８０が配置される方向を「下」、その逆を「上」として、スライド板駆動体４を構成する各部材について説明する。
【００２８】
圧縮コイルバネ６０は、たとえばＮｉ‐Ｔｉ鋼を材質とする形状記憶合金を用いる。形状記憶合金製のバネは、一定温度よりも高い温度であればオーステナイト相の硬いバネ（バネ力が強い）となる。一定温度よりも低い温度であればマルテンサイト相の柔らかいバネ（バネ力が弱い）となる。これにより、圧縮コイルバネ６０の材質を形状記憶合金とすることで、圧縮コイルバネ６０のバネ定数（以下、バネ定数をk１とする）を、温度に応じて変化させることができる。すなわち、この圧縮コイルバネ６０は、温度によって、接触する物体を押し込む力（以下、圧縮バネ力という）の大きさを変化させることができる。
【００２９】
引張コイルバネ７０は、たとえばステンレス鋼を材質として用いる。この引張コイルバネ７０の材質であるステンレス鋼は一般的なものであり、引張コイルバネ７０のバネ定数（以下、バネ定数をk２とする）は、常に一定である。すなわち、この引張コイルバネ７０が物体を引っ張る力（以下、引張バネ力という）は、温度に関係なく一定である。
【００３０】
第一の支持部材８０は、たとえば合成樹脂を材質として用いる。第一の支持部材８０は、第一の梁部８１と後述する軸心安定棒８４とから形成される左右対称の形状であって、略逆Ｔ字形である。
【００３１】
第一の梁部８１は、その両端に、第一の支持部材８０が天板２に連結されるための嵌め込み溝８２がそれぞれ形成されている。この嵌め込み溝８２が、天板２における上記第一の中央レール部２１ａおよび第一の縁レール部１１ａと、第二の中央レール部２１ｂおよび第二の縁レール部１１ｂとに嵌め込まれることによって第一の支持部材８０は天板２に連結される。これら嵌め込み溝８２の近傍で第一の梁部８１の中央側には、上記引張コイルバネ７０の一端を引っ掛けるための第一のバネ引掛け部８３が形成されている。
【００３２】
第一の梁部８１の中央部には、上記圧縮コイルバネ６０の軸心を安定させるためのガイド部としての軸心安定棒（ガイド部の一例）８４が上方に突出して形成されている。この軸心安定棒８４には、上記圧縮コイルバネ６０が差し込まれて取り付けられる。ガイド部としては軸心安定棒８４のように棒状のものに限らず、たとえば筒状のものであって、圧縮コイルバネ６０を覆ってその軸心を安定させるものであってもよい。
【００３３】
第二の支持部材９０は、たとえば合成樹脂を材質として用いる。第二の支持部材９０は、第二の梁部９１と第二の柱部９７とから形成される左右対称の形状であって、略Ｔ字形である。
【００３４】
第二の梁部９１は、中央が開口した枠体である。第二の梁部９１の上側中央および上側両端は、第二の支持部材９０がスライド板３に連結されるためのリベット孔９２が形成されている。第二の梁部９１の下側両端の近傍には、上記引張コイルバネ７０の他端を引っ掛けるための第二のバネ引掛け部９３がそれぞれ設けられている。
【００３５】
第二の梁部９１の下側中央には、上記軸心安定棒８４が挿通されるためのガイド部挿通孔としての安定棒挿通孔（ガイド部挿通孔の一例）９５が形成されている。この安定棒挿通孔９５のまわりには、上記圧縮コイルバネ６０の一端と接触して圧縮バネ力を受け止めるバネ受け面９６が形成されている。このバネ受け面９６のまわりには、上記圧縮コイルバネ６０を軸方向に囲うバネ囲い部９７ａが下方に突出して形成されている。第二の柱部９７は、このバネ囲い部９７ａによって構成されている。バネ囲い部９７ａがあることで、上記圧縮コイルバネ６０の隙間に埃などの不純物が入るのを防止することができる。これにより、圧縮コイルバネ６０に不純物が挟まることによるスライド板駆動体４の故障を防止することができる。
【００３６】
スライド板駆動体４は、以上のように、中央に圧縮コイルバネ６０を、端部に引張コイルバネ７０をそれぞれ並列に設けつつ、図２（ａ）に示すように天板２およびスライド板３の裏面において、取り付けられている。この裏面、特にスライド板４の裏面において、上記圧縮コイルバネ６０は、複数の第二の換気孔５ｂが形成する列と列との間に配置される。上記引張コイルバネ７０は、複数の第二の換気孔５ｂが形成する列の外側に配置される。すなわち、これら圧縮コイルバネ６０および引張コイルバネ７０は、第二の換気孔５ｂに完全に重なることがないように配置される。当然、図２に示すように、第二の換気孔５ｂが形成する列と第一の換気孔５ａが形成する列とは同一直線上となるため、上記圧縮コイルバネ６０および引張コイルバネ７０は、第一の換気孔５ａとも完全に重なることはない。したがって、圧縮コイルバネ６０および引張コイルバネ７０は、第一の換気孔５ａおよび第二の換気孔５ｂを通じて、天板２の表面からの見え掛かりが小さいため、自動換気装置１の景観を保つことができる。
【００３７】
次に、自動換気装置１の動作について図４に基づいて説明する。図４（ａ）（ａ´）は、自動換気装置１の換気前の状態を示しており、（ａ´）は、（ａ）におけるＢ−Ｂ´断面を示している。図４（ｂ）（ｂ´）は、自動換気装置１の換気後の状態を示しており、（ｂ´）は、（ｂ）におけるＣ−Ｃ´断面を示している。自動換気装置１の換気は、スライド板３がスライドすることで、天板２における第一の換気孔５ａとスライド板３における第二の換気孔５ｂとが重なり、空気の通り道（以下、単に換気孔５という）を形成することで行われる。すなわち、スライド板３のスライドにより換気孔５を開くことができる。以下の説明では、スライド板３が換気孔５を開くために動作する方向を「開方向」といい、その逆方向で換気孔５を閉じる方向を「閉方向」という。図４中においては、「開方向」は「左方向」を示している。また、「閉方向」は「右方向」を示している。
【００３８】
図４（ａ）において、圧縮コイルバネ６０の一端は、第二の支持部材９０におけるバネ受け面９６に接触しており、圧縮バネ力によって第二の支持部材９０を開方向に押している。これにより、第二の支持部材９０と連結したスライド板３を、第二の支持部材９０を介して開方向に押している。圧縮コイルバネ６０は、上記軸心安定棒８４に差し込まれて取り付けられているため、バネ受け面９６から強い負荷を受けても、軸心がずれることはない。
【００３９】
また、第一の支持部材８０と第二の支持部材９０との距離が狭まっても、上記軸心安定棒８４は、第二の支持部材９０における安定棒挿通孔９５を通るため、上記軸心安定棒８４は第二の支持部材９０に接触することはなく、接触による負荷を受けることはない。それでいて、上記圧縮コイルバネ６０は、常にバネ受け面９６に接触した状態であるので、第二の支持部材９０に対して常に開方向に圧縮バネ力を作用させている。
【００４０】
一方、引張コイルバネ７０は、第一の支持部材８０における第一のバネ引掛け部８３と第二の支持部材９０における第二のバネ引掛け部９３とに両端が引掛けられて取り付けられており、引張バネ力によって第二の支持部材９０を閉方向に引っ張っている。これにより、第二の支持部材９０と連結したスライド板３を、第二の支持部材９０を介して閉方向に引っ張っている。
【００４１】
また、図４（ａ）の状態は、温度（気温）が低い状態であり、圧縮コイルバネ６０のバネ定数ｋ１は、引張コイルバネ７０のバネ定数k２よりも小さい状態である。すなわち、並列にされたバネ（以下、並列合成バネという）の特徴から、これら圧縮コイルバネ６０および引張コイルバネ７０の伸びは等しくなるため、バネ定数k１が小さい状態では、圧縮コイルバネ６０の圧縮バネ力は、引張コイルバネ７０の引張バネ力よりも小さい状態である。したがって、引張コイルバネ７０の引張バネ力が圧縮コイルバネ６０の圧縮バネ力に勝っているため、スライド板３には、閉方向に力が作用している状態である。
【００４２】
これにより、スライド板３は閉方向にスライドし、換気孔５は閉じた状態となる。このとき、第二の換気孔５ｂは等間隔に配列されているため、スライド板３が閉方向にこれ以上スライドすれば第一の換気孔５ａと第二の換気孔５ｂとが再び重なり合い、換気孔５が開くことも考えられる。しかし、ストッパ部５０がストッパ孔４０に引っ掛かることによって、スライド板３がこれ以上閉方向に動作するのを防いでいる。したがって、圧縮コイルバネ６０の圧縮バネ力が引張コイルバネ７０の引張バネ力よりも小さい状態では、換気孔５が全開となることはない。なお、本実施の形態においては、圧縮コイルバネ６０のバネ定数k１が引張コイルバネ７０のバネ定数k２よりも小さくなる温度（気温）を約７℃に設定している。
【００４３】
図４（ｂ）の状態は、温度が高い状態であり、圧縮コイルバネ６０のバネ定数k１は、引張コイルバネ７０のバネ定数k２よりも大きい状態である。すなわち、上述した並列合成バネの特徴から、バネ定数k１が大きい状態では、圧縮コイルバネ６０の圧縮バネ力は、引張コイルバネ７０の引張バネ力よりも大きい状態である。したがって、圧縮コイルバネ６０の圧縮バネ力が引張コイルバネ７０の引張バネ力に勝っているため、スライド板３には、開方向に力が作用している状態である。
【００４４】
これにより、スライド板３は開方向へスライドし、第一の換気孔５ａと第二の換気孔５ｂとが重なれば、換気孔５が開き、換気をすることができる。このとき、第二の換気孔５ｂは等間隔に配列されているため、スライド板３が開方向にこれ以上スライドすれば第一の換気孔５ａと第二の換気孔５ｂとがずれて、換気孔５が再び閉じることも考えられる。しかし、ストッパ部５０がストッパ孔４０に引っ掛かることによって、スライド板３がこれ以上開方向に動作するのを防いでいる。したがって、圧縮コイルバネ６０の圧縮バネ力が引張コイルバネ７０の引張バネ力よりも大きい状態では、換気孔５が閉じ切ることはない。なお、本実施の形態においては、圧縮コイルバネ６０のバネ定数k１が引張コイルバネ７０のバネ定数k２よりも大きくなる温度（気温）を約１７℃に設定している。
【００４５】
以上のように、自動換気装置１は、温度に応じてスライド板３を駆動させることができ、自動的に換気を行うことができる。
【００４６】
次に、本発明の他の実施形態に係る自動換気装置１について簡単に説明する。
他の実施形態では、図２（ｂ）に示す、第三の中央レール部２１ｃと第三の縁レール部１１ｃとによって、第三の中央レール部２１ｃを境にして、一対の防虫網収容部３１が形成される。図５に示すように、この防虫網収容部３１に防虫網６を嵌め込んで取り付けることで、換気孔５が開いた状態であっても、虫を通すことなく、換気のみを行うことができる。
【００４７】
このように本発明に係る自動換気装置１では、スライド板３をスライド駆動させるスライド板駆動体４において、２種のコイルバネをそれぞれ互いに抗う方向に力を及ぼし合うように組み込んでおり、２種のコイルバネのうち一方は形状記憶合金バネを用いている。そのため、温度に応じて形状記憶合金製のコイルバネのバネ定数が変化すれば、２種のコイルバネの力の総和も変化し、これらコイルバネが組み込まれて形成されるスライド板駆動体４において、コイルバネの合力の方向を変化させることができる。したがって、温度に応じて自動的にスライド板３を駆動させることができ、天板２に形成された複数の第一の換気孔５ａとスライド板３に形成された複数の第二の換気孔５ｂとが重なったときに、天板２の表面からスライド板３の裏面にかけて貫通する換気孔５を形成し、この換気孔５を通じて換気を行うことができる。
【００４８】
また、スライド板駆動体４は、２種のコイルバネ、すなわち、圧縮コイルバネ６０と引張コイルバネ７０とが組み込まれることによって構成されている。スライド板３をスライド可能とさせるには、２つ以上のコイルバネを互いに抗う方向に力を及ぼすように配置させなければならないところ、本発明のように圧縮コイルバネ６０と引張コイルバネ７０とを用いれば、バネを並列にすることで、これらのバネを互いに抗う方向に力を及ぼすように配置することができる。
【００４９】
これらのバネは並列に配置されつつ、天板２の裏面に取り付けられる第一の支持部材８０とスライド板３の裏面に取り付けられる第二の支持部材９０との間に設けられるのみで上記スライド板３をスライドさせ得るスライド板駆動体４を構成することができるため、スライド駆動体４の構成を簡素にすることができ、ひいては、自動換気装置１の構成を簡素にすることができる。さらに、構成が簡素であるうえ、上述したようにバネを並列に配置することができるため、スライド板駆動外４を薄くコンパクトにすることができる。すなわち、スライド板駆動体４を従来に比べ小型化することができる。これにより省スペース化を図ることができ、上述したように、自動換気装置１の裏面において防虫網６を取り付けることができるようなスペースを確保することができる。
【００５０】
また、スライド板駆動体４を構成する圧縮コイルバネ６０および引張コイルバネ７０は、第一の換気孔５ａおよび第二の換気孔５ｂに完全に重なることのない位置に配置されるため、これら第一の換気孔５ａおよび第二の換気孔５ｂを通じて天板２の表面からの圧縮コイルバネ６０および引張コイルバネ７０の見え掛かりを小さくすることができ、景観を保つことができる。
【００５１】
また、ストッパ部５０は天板２の表面から手動でスライドさせることができる。そのため、手動でスライド板３をスライドさせて第一の換気孔５ａに溜まったゴミ等を第二の換気孔５ｂを通じて除去することができ、また、床面のワックス掛けの際などに第一の換気孔５ａに流れ込んで固まるワックスの油を切ることができる。これによりメンテナンスにも手間が掛からず、製品寿命を長くすることができる。
【００５２】
なお、以上では、圧縮コイルバネ６０を形状記憶合金製とすることについて説明したが、引張コイルバネ７０のみを形状記憶合金製としてもよいし、圧縮コイルバネ６０および引張コイルバネ７０の双方を形状記憶合金製としてもよい。
【００５３】
また、圧縮コイルバネ６０および引張コイルバネ７０が１つずつの場合について説明したが、引張コイルバネ７０を２つ設けて、合計３つのコイルバネの合力を調整するスライド板駆動体４を構成してもよい。
【００５４】
また、スライド板駆動体４に組み込まれるバネは、コイルバネに限定されるものではなく、たとえば、板バネであってもよい。
【００５５】
また、上記では、ガイド部は軸心安定棒８４のような棒状のものに限られず、たとえば圧縮コイルバネ６０を覆う筒状のものであってもよい旨説明したが、ガイド部を筒状のものとする場合は、ガイド部挿通孔はバネ受け面９６を確保しつつ筒状のガイド部が挿通するような形状であればよい。そのような条件を満たすガイド部挿通孔の形状としては、たとえばドーナツ形状などがある。
【００５６】
また、形状記憶合金バネのバネ定数が変化する温度（気温）を７℃および１７℃に設定していたが、これらの温度設定に限られない。
【符号の説明】
【００５７】
Ｆ  床面
１  自動換気装置
２  天板
３  スライド板
４  スライド板駆動体
５  換気孔
１０  突出縁部
１１  縁レール部
２０  中央突出部
２１  中央レール部
３０  スライド板収容部
３１  防虫網収容部
６０  圧縮コイルバネ
７０  引張コイルバネ
８０  第一の支持部材
９０  第二の支持部材
【図１】
0006537351.tif 000002
【図２】
0006537351.tif 000003
【図３】
0006537351.tif 000004
【図４】
0006537351.tif 000005
【図５】
0006537351.tif 000006
【図６】
0006537351.tif 000007